(57)【要約】【課題】ビデオカメラやデジタルスチルカメラに好適な、高倍率でコンパクトかつ低コストで高性能なズームレンズを提供する。【解決手段】第１群〜第４群のレンズ群にて構成される。第３群は、１枚のプラスチックレンズで構成されるとともに、その少なくとも１面が非球面である。第４群は、負レンズと正レンズとを貼り合わせた正の接合レンズと、少なくとも１面が非球面であるプラスチックレンズとの２群３枚で構成される。第２群を構成している負レンズのうち最も屈折率の小さい負レンズの屈折率をｎ２ｍｉｎ、全系の広角端での焦点距離をｆｗ、変倍の際の第２群の移動距離をｄ２、ズーム比をＺ、第２群の焦点距離をｆ２、第３群のプラスチックレンズの焦点距離をｆ３としたときに、１．６０    ＜  ｎ２ｍｉｎ２．０    ＜  （Ｚ・ｆｗ２）／（｜ｆ２｜・ｄ２）  ＜  ２．５５．０    ＜  ｆ３／ｆｗ    ＜  ７．０である。【選択図】      図１
2004240151.tif 000002
【特許請求の範囲】
【請求項１】
物体側から像面側に向かって順に、正の屈折力を有しかつ固定構造とされた第１群と、光軸上を可動であることにより倍率を変倍する機能を備えかつ負の屈折力を有した第２群と、正の屈折力を有しかつ固定構造とされた第３群と、光軸上を可動であることにより変倍または物体距離の変化に伴う像面の変動を補正する機能を備えかつ正の屈折力を有した第４群とのレンズ群にて構成されるズームレンズであって、
前記第３群は、１枚のプラスチックレンズで構成されるとともに、そのプラスチックレンズの少なくとも１面は非球面であり、
前記第４群は、負レンズと正レンズとを貼り合わせた正の接合レンズと、プラスチックレンズとの２群３枚で構成されるとともに、そのプラスチックレンズの少なくとも１面は非球面であり、
前記第２群を構成している負レンズのうち最も屈折率の小さい負レンズの屈折率をｎ２ｍｉｎ、全系の広角端での焦点距離をｆｗ、変倍の際の第２群の移動距離をｄ２、ズーム比をＺ、前記第２群の焦点距離をｆ２、前記第３群のプラスチックレンズの焦点距離をｆ３としたときに、
１．６０    ＜  ｎ２ｍｉｎ
２．０    ＜  （Ｚ・ｆｗ２）／（｜ｆ２｜・ｄ２）  ＜  ２．５
５．０    ＜  ｆ３／ｆｗ    ＜  ７．０
なる条件を満足することを特徴とするズームレンズ。
【請求項２】
第３群に用いられるプラスチックレンズは、物体側に凸面を向けたメニスカス形状であることを特徴とする請求項１記載のズームレンズ。
【請求項３】
第４群に用いられるプラスチックレンズが以下の条件式を満足することを特徴とする請求項１または２記載のズームレンズ。
ｆｗ  ／  ｜ｆ４ｐ  ｜  ＜  ０．０３
但し、
ｆｗ    ：全系の広角端での焦点距離
ｆ４ｐ：第４群のプラスチックレンズの焦点距離
【請求項４】
物体側から像面側に向かって順に、正の屈折力を有しかつ固定構造とされた第１群と、光軸上を可動であることにより倍率を変倍する機能を備えかつ負の屈折力を有した第２群と、正の屈折力を有しかつ固定構造とされた第３群と、光軸上を可動であることにより変倍または物体距離の変化に伴う像面の変動を補正する機能を備えかつ正の屈折力を有した第４群とのレンズ群にて構成されるズームレンズであって、
前記第３群は、１枚のプラスチックレンズで構成されるとともに、そのプラスチックレンズの少なくとも１面は非球面であり、
前記第４群は、負レンズと正レンズとを貼り合わせた正の接合レンズと、プラスチックレンズとの２群３枚で構成されるとともに、そのプラスチックレンズの少なくとも１面は非球面であり、
前記第３群のプラスチックレンズと第４群のプラスチックレンズとは同一のプラスチック材料からなり、そのプラスチック材料のｄ線を基準にするアッベ数をνｄとしたときに、
４４    ＜  νｄ
なる条件を満足することを特徴とするズームレンズ。
【請求項５】
第２群を構成している負レンズのうち最も屈折率の小さい負レンズの屈折率をｎ２ｍｉｎ、全系の広角端での焦点距離をｆｗ、変倍の際の第２群の移動距離をｄ２、ズーム比をＺ、前記第２群の焦点距離をｆ２、第３群のプラスチックレンズの焦点距離をｆ３としたときに、
１．６０    ＜  ｎ２ｍｉｎ
２．０    ＜  （Ｚ・ｆｗ２）／（｜ｆ２｜・ｄ２）  ＜  ２．５
５．０    ＜  ｆ３／ｆｗ    ＜  ７．０
なる条件を満足することを特徴とする請求項４記載のズームレンズ。
【請求項６】
第３群に用いられるプラスチックレンズは物体側に凸面を向けたメニスカス形状であり、第４群に用いられるプラスチックレンズは以下の条件式を満足することを特徴とする請求項４または５記載のズームレンズ。
ｆｗ  ／  ｜ｆ４ｐ  ｜  ＜  ０．０３
但し、
ｆｗ    ：全系の広角端での焦点距離
ｆ４ｐ：第４群のプラスチックレンズの焦点距離
【発明の詳細な説明】
【０００１】
【発明の属する技術分野】
本発明はズームレンズに関し、特に光学系にプラスチックレンズを用いたズームレンズに関し、さらには、ビデオカメラやデジタルスチルカメラに好適な、高倍率でコンパクトかつ低コストで高性能なズームレンズに関する。
【０００２】
【従来の技術】
従来、ビデオカメラやデジタルスチルカメラなどのビデオカメラ用の光学系に用いられる高変倍用のレンズ群として、物体側から順に、正の屈折力を持ちかつ固定構造とされた第１群と、負の屈折力を持ちかつ変倍のために光軸上を可動とされた第２群と、正の屈折力を持ちかつ固定構造とされた第３群と、正の屈折力を持ちかつ変倍による像面の変動を補正するとともに合焦のために光軸上を可動とされた第４群との、４つのレンズ群にて構成された方式が良く知られている。
【０００３】
このようなレンズ群を有した光学系としては、例えば、特許文献１、特許文献２に記載されているようなものがあった。特許文献１によると、レンズ群を構成する１０枚のレンズの内の５枚をプラスチックレンズで構成することで、１８倍のズーム比が達成されている。また、特許文献２によると、レンズ群を構成する１０枚のレンズの内の５枚をプラスチックレンズで構成して、２０倍と高いズーム比が達成され、しかも低コスト化をはかった光学系が提案されている。
【０００４】
しかしながら、プラスチックレンズは硝子レンズと比べて屈折率が低く、コンパクトな光学系に用いようとするとペッツバール和を小さく抑えるのが難しく、曲率が小さくなり、コマ収差が大きくなる等の問題点を有していた。
【０００５】
【特許文献１】
特開平９−３１１２７２号公報（４〜１２頁、第１図）
【０００６】
【特許文献２】
特開２０００−３０５０１４号公報（６〜１３頁、第１図）
【０００７】
【発明が解決しようとする課題】
従来、ビデオカメラ用光学系においては、レンズ群として上述の４群のレンズ構成が主流となっており、また、コンパクトかつ高性能なものを得るために、非球面を活用することが必要不可欠になっている。
【０００８】
非球面レンズとしては、非球面を形成する手段の違いにもとづく複数種類のものが知られている。すなわち、硝子のモールド工法による硝子非球面レンズ、硝子球面レンズの表面にプラスチックの非球面薄層を形成したハイブリッド型非球面レンズ、プラスチック材料の射出成型工法によるプラスチック非球面レンズが、よく知られている。
【０００９】
しかしながら、硝子非球面レンズは、高温でのモールド工法に用いる高価な金型の寿命が短くコストが硝子球面レンズの約３倍程度と高価であるという問題がある。また、ハイブリッド型非球面レンズは、硝子球面レンズの製造コストに加えプラスチックの非球面薄層を形成するための金型を形成するためのコストが必要となり、硝子非球面レンズと同様に高価であるという問題がある。プラスチック非球面レンズは、これらに比べて非常に安価であるが、硝子レンズと比べて屈折率が低く、屈折力を強くしてコンパクトな光学系に用いようとするとペッツバール和を小さく抑えるのが難しく、曲率が小さくなって、コマ収差が大きくなる、温度変化による影響を受けやすい、等の問題点があった。
【００１０】
本発明は、従来技術のこのような状況を鑑みてなされたものであり、ビデオカメラやデジタルスチルカメラに好適な、高倍率でコンパクトかつ低コストで高性能なズームレンズを提供することを目的とする。
【００１１】
【課題を解決するための手段】
前記課題を解決するために、本発明のズームレンズは、物体側から像面側に向かって順に、正の屈折力を有しかつ固定構造とされた第１群と、光軸上を可動であることにより倍率を変倍する機能を備えかつ負の屈折力を有した第２群と、正の屈折力を有しかつ固定構造とされた第３群と、光軸上を可動であることにより変倍または物体距離の変化に伴う像面の変動を補正する機能を備えかつ正の屈折力を有した第４群とのレンズ群にて構成されるズームレンズであって、前記第３群は、１枚のプラスチックレンズで構成されるとともに、そのプラスチックレンズの少なくとも１面は非球面であり、前記第４群は、負レンズと正レンズとを貼り合わせた正の接合レンズと、プラスチックレンズとの２群３枚で構成されるとともに、そのプラスチックレンズの少なくとも１面は非球面であり、前記第２群を構成している負レンズのうち最も屈折率の小さい負レンズの屈折率をｎ２ｍｉｎ、全系の広角端での焦点距離をｆｗ、変倍の際の第２群の移動距離をｄ２、ズーム比をＺ、前記第２群の焦点距離をｆ２、前記第３群のプラスチックレンズの焦点距離をｆ３としたときに、
１．６０    ＜  ｎ２ｍｉｎ
２．０    ＜  （Ｚ・ｆｗ２）／（｜ｆ２｜・ｄ２）  ＜  ２．５
５．０    ＜  ｆ３／ｆｗ    ＜  ７．０
なる条件を満足することを特徴とするものである。
【００１２】
このように、第２群中の負レンズが比較的高い屈折率を有するものであることにより、全長をコンパクトにするために第２群の屈折力を増大させても、全系のペッツバール和が増大することと、曲率が小さくなることとを抑えることができる。さらに第３群の屈折力を適切な値とすることにより、温度変化による影響を少なくすることができる。したがって、像面湾曲とコマ収差とが良好に補正され、かつ温度変化による影響が少ない、コンパクトかつ低コストで高性能なズームレンズを実現できる。
【００１３】
本発明によれば、上記のズームレンズにおいて、第３群に用いられるプラスチックレンズは、物体側に凸面を向けたメニスカス形状であることが好ましい。
これにより、第３群の前側主点を物体側空間に位置させることができるので、望遠側での第２群と第３群との主点間隔を小さくすることができ、このため、変倍のための第２群の移動距離の長大化を防ぐことができる。また、近軸領域において光線高さの低い位置に第３群レンズを配することができるので、第４群の屈折力を強くすることが可能で、コンパクト化した場合のペッツバール和の改善に貢献することができ、このためコンパクトかつ低コストで高性能なズームレンズを実現できる。
【００１４】
さらに本発明によれば、第４群に用いられるプラスチックレンズは、以下の条件式を満足することが好ましい。
ｆｗ  ／  ｜ｆ４ｐ  ｜  ＜  ０．０３
但し、
ｆｗ    ：全系の広角端での焦点距離
ｆ４ｐ：第４群プラスチックレンズの焦点距離
【００１５】
このように、第４群のプラスチックレンズを屈折力弱く構成することにより、温度変化による影響を小さくすることができるので、温度変化による影響が少ないコンパクトかつ低コストで高性能なズームレンズを実現できる。
次に本発明のズームレンズは、物体側から像面側に向かって順に、正の屈折力を有しかつ固定構造とされた第１群と、光軸上を可動であることにより倍率を変倍する機能を備えかつ負の屈折力を有した第２群と、正の屈折力を有しかつ固定構造とされた第３群と、光軸上を可動であることにより変倍または物体距離の変化に伴う像面の変動を補正する機能を備えかつ正の屈折力を有した第４群とのレンズ群にて構成されるズームレンズであって、前記第３群は、１枚のプラスチックレンズで構成されるとともに、そのプラスチックレンズの少なくとも１面は非球面であり、前記第４群は、負レンズと正レンズとを貼り合わせた正の接合レンズと、プラスチックレンズとの２群３枚で構成されるとともに、そのプラスチックレンズの少なくとも１面は非球面であり、前記第３群のプラスチックレンズと第４群のプラスチックレンズとは同一のプラスチック材料からなり、そのプラスチック材料のｄ線を基準にするアッベ数をνｄとしたときに、
４４    ＜  νｄ
なる条件を満足することを特徴とするものである。
【００１６】
本発明によれば、このようにアッベ数の大きいプラスチック材料を用いることにより、第３群のプラスチックレンズと第４群のプラスチックレンズの材料を同一プラスチック材料としても、色収差を良好に補正することができるので、プラスチックレンズの製造において、例えば、一台の射出成形機で製造を行う場合に、材料の入れ替えによるロスを無くすことができる。また、プラスチックレンズに反射防止コーティングを施す場合は、そのコーティングの構成を共通にすることができるため、例えば、同じ真空蒸着機を用いて同時にコーティングを行うことができる。したがって、製造設備やプラスチック材料を効率的に使用することが可能なため、ズームレンズを低コストで実現できる。
【００１７】
本発明によれば、上記のズームレンズにおいて、第２群を構成している負レンズのうち最も屈折率の小さい負レンズの屈折率をｎ２ｍｉｎ、全系の広角端での焦点距離をｆｗ、変倍の際の第２群の移動距離をｄ２、ズーム比をＺ、前記第２群の焦点距離をｆ２、第３群のプラスチックレンズの焦点距離をｆ３としたときに、
１．６０    ＜  ｎ２ｍｉｎ
２．０    ＜  （Ｚ・ｆｗ２）／（｜ｆ２｜・ｄ２）  ＜  ２．５
５．０    ＜  ｆ３／ｆｗ    ＜  ７．０
なる条件を満足することが好ましい。
【００１８】
このようなものであると、第２群中の負レンズに比較的高い屈折率を用いることで、全長をコンパクトにするために第２群の屈折力を増大させても、全系のペッツバール和が増大することと曲率が小さくなることとを抑えることができる。さらに第３群の屈折力を適切な値とすることにより、温度変化による影響を少なくすることができる。したがって、像面湾曲とコマ収差が良好に補正され、かつ温度変化による影響が少ないコンパクトかつ低コストで高性能なズームレンズが実現できる。
【００１９】
さらに本発明によれば、上記のズームレンズにおいて、第３群に用いられるプラスチックレンズは物体側に凸面を向けたメニスカス形状であり、第４群に用いられるプラスチックレンズは、以下の条件式を満足することが好ましい。
【００２０】
ｆｗ  ／  ｜ｆ４ｐ  ｜  ＜  ０．０３
但し、
ｆｗ    ：全系の広角端での焦点距離
ｆ４ｐ：第４群プラスチックレンズの焦点距離
【００２１】
このようなものであると、第３群の前側主点を物体側空間に位置させることができるので、望遠側での第２群と第３群との主点間隔を小さくすることができ、このため、変倍のための第２群の移動距離の長大化を防ぐことができる。また、近軸領域において光線高さの低い位置に第３群レンズを配することができるので、第４群の屈折力を強くすることが可能で、コンパクト化した場合のペッツバール和の改善に貢献することができ、さらに第４群のプラスチックレンズを屈折力弱く構成することにより温度変化による影響を小さくすることができるので、温度変化による影響が少ないコンパクトかつ低コストで高性能なズームレンズを実現できる。
【００２２】
【発明の実施の形態】
以下、本発明の実施の形態について、図１〜図８を用いて説明する。
（実施の形態１）
図１は本発明の実施の形態１のズームレンズを示す。具体的には。図１において、１は第１群であり、２は第２群であり、３は第３群であり、４は第４群であり、Ｓは絞りであり、ＥＧは撮像素子のカバー硝子とローパスフィルター等の等価硝子である。第１群１と第３群３とは固定構造である。第２群２と第４群４とは可動で、光軸ＯＡ上を移動する。
【００２３】
第１群１は、３枚のレンズ１ａ、１ｂ、１ｃによって、正の屈折力を有するように構成されている。第２群２は、３枚のレンズ２ａ、２ｂ、２ｃによって、倍率を変倍する機能を有するように構成されている。このうち、２ａ、２ｂは負レンズ、２ｃは正レンズである。第３群３は、１枚のレンズ３ａによって、正の屈折力を有するように構成されている、そして、第４群４は、３枚のレンズ４ａ、４ｂ、４ｃによって、変倍または物体距離の変化に伴う像面の変動を補正するように構成されている。すなわち、第１群１が３枚、第２群２が３枚、第３群３が１枚、第４群４が３枚の計１０枚のレンズだけで構成され、このために、レンズ数が少ない構成で、ズーム比が大きく、かつコンパクト化を図ることができる。
【００２４】
第３群３のレンズ３ａは、プラスチックレンズで構成されるとともに、少なくとも１面が非球面であるように構成されている。第４群４は、負レンズ４ａと正レンズ４ｂとを貼り合わせた正の接合レンズと、プラスチックレンズ４ｃとの２群３枚で構成されている。プラスチックレンズ４ｃは、少なくとも１面が非球面であるように構成されている。
【００２５】
ズームレンズのコンパクト化のためには、一般的に、可動レンズ群の屈折力を増大して移動距離を小さくする。しかし、本発明に用いられる４群構成において、第２群２の屈折力を増大することは、負のペッツバール和の増大につながり、像面湾曲の補正が困難になる。また、プラスチックレンズは屈折率が低いため、曲率が小さくなり、コマ収差が大きくなってしまう。
【００２６】
そこで、この実施の形態１のズームレンズでは、第２群２を構成している負レンズ２ａ、２ｂのうち最も屈折率の小さいものの屈折率をｎ２ｍｉｎとすると、条件式（１）を満足することが必要である。すなわち
１．６０    ＜  ｎ２ｍｉｎ    ・・・（１）
であることが必要である。第２群２における２枚の負レンズ２ａ、２ｂとしては、比較的屈折率の高いものを用いることが望ましい。（１）式をはずれると、レンズの全長をコンパクトに抑えることを目的として第２群２の屈折力を増大させたときに、全系のペッツバール和が負の方向に大きくなり、像面湾曲の補正が困難になる。また、第２群２を構成するレンズの曲率が小さくなり、コマ収差が大きくなる。
【００２７】
また、この実施の形態１のズームレンズは、全系の広角端での焦点距離をｆｗ、変倍における第２群２の移動距離をｄ２、ズーム比をＺ、第２群２の焦点距離をｆ２、第３群３の焦点距離をｆ３としたとき、下記（２）、（３）の条件式を満足している。
【００２８】
２．０＜（Ｚ・ｆｗ２）／（｜ｆ２｜・ｄ２）＜２．５    ・・・（２）
５．０  ＜  ｆ３／ｆｗ    ＜７．０    ・・・（３）
【００２９】
（２）式は、変倍時の第２群２の移動量、ズーム比及び焦点距離に関するものである。強い屈折力で小さい移動量そして、高ズーム比を達成することがのぞましいが、この式の上限値を超えると、コンパクト化の方向とはなるが、ペッツバール和が大きくなって、像面湾曲の補正が困難となってしまう。逆に下限値を下回ると、第２群２の移動量が大きくなって、全系のコンパクト化が困難となる。
【００３０】
（３）式は、第３群３に用いられるプラスチックレンズ３ａの屈折力に関する条件式である。この式の下限値を下回って屈折力が強くなると、コンパクト化の方向ではあるが、温度変化による影響が大きくなり、また、水晶フィルター等を挿入するためのバックフォーカスの確保が困難となる。逆に上限値を超えて屈折力が弱くなれば、ペッツバール和が悪化する方向で、また、バックフォーカスが伸び、全体としてレンズが大型化する傾向となるため不適当である。
【００３１】
第３群３に用いられるプラスチックレンズ３ａは、物体側に凸面を向けたメニスカス形状を有する構成とすることができる。これにより、第３群３の前側主点を物体側空間に位置させることができる。すると、望遠側での第２群２と第３群３との主点間隔を小さくすることができるので、変倍のための第２群２の移動距離の長大化を防ぐことができる。また、近軸領域において光線高さの低い位置に第３群３のレンズ３ａを配することができるので、第４群４の屈折力を強くすることが可能となって、コンパクト化した場合のペッツバール和の改善に貢献することができる。
【００３２】
第４群４に用いられるプラスチックレンズ４ｃは、下記の条件式（４）
ｆｗ  ／  ｜ｆ４ｐ  ｜  ＜  ０．０３  ・・・（４）
を満足することが好ましい。但し、
ｆｗ    ：全系の広角端での焦点距離
ｆ４ｐ：第４群プラスチックレンズの焦点距離
である。
【００３３】
この条件式（４）は、第４群４に用いられるプラスチックレンズ４ｃの屈折力を規定するものである。この範囲内の弱い屈折力でプラスチックレンズを構成することにより、温度変化による影響を小さくすることができる。この範囲を超えると、温度による影響が大きくなる。また、このプラスチックレンズ４ｃには少なくとも１面に非球面を施すことができ、それによって像面湾曲およびコマ収差を良好に補正することが可能となる。
【００３４】
また、第３群３のプラスチックレンズ３ａと第４群のプラスチックレンズ４ｃとが同一のプラスチック材料からなり、そのプラスチック材料のｄ線を基準にするアッベ数をνｄとしたときに、このアッベ数は下記の条件式（５）
４４    ＜  νｄ  ・・・（５）
を満足することが好ましい。
【００３５】
この条件式を満足するプラスチック材料を用いることにより、第３群３のプラスチックレンズ３ａと第４群４のプラスチックレンズ４ｃの材料を同一プラスチック材料としても色収差を良好に補正することができるので、材料の共用が可能となる。条件式（５）の値よりもアッベ数が小さくなると、第３群３の色収差が大きくなるため、良好な光学性能が得られない。
【００３６】
以下、実施の形態１のズームレンズの数値実施例を表１に示す。
表１において、ｒ１、ｒ２、…は物体側から順に数えたレンズ各面の曲率半径であり、ｄ１、ｄ２、…は各レンズの肉厚及び空気間隔であり、ｎ１，ｎ２，…は各レンズのｄ線における屈折率であり、ν１、ν２、…はｄ線を基準にするアッベ数である。また、図２〜図４の収差図は広角端（図２）、中間（図３）、望遠端（図４）におけるものを示し、全系の焦点距離をｆ、ＦナンバーをＦ／、そして画角を２ωとして示している。表１の曲率半径ｒ１、ｒ２、…において、＊印を付した面は非球面となっており、その非球面形状は次の式で表される。
【００３７】
2004240151.tif 000003
但し光軸方向をｘ軸、光軸からの距離をｈ、ｒを基準球面の曲率半径とし、非球面係数Ｋ，Ａ，Ｂ，Ｃ，Ｄは表１に示されるとおりである。
【００３８】
【表１】
2004240151.tif 000004
【００３９】
図２〜図４の球面収差図において、ＦはＦ線を表し、ＣはＣ線を表す。また非点収差図におけるＳはサジタル像面を表し、Ｍはメリディオナル像面を表す。この収差図からわかるように、収差の小さい良好な光学性能を実現することができる。
【００４０】
なお、この実施の形態１の有効像円はφ４．５ｍｍとなっている。
また、レンズ系全体のＦ値は１．７４〜３．３５、焦点距離ｆは３．９９〜７７．７ｍｍ、ｎ２ｍｉｎの値は１．７２、（Ｚ・ｆｗ２）／（｜ｆ２｜・ｄ２）の値は２．０２、ｆ３／ｆｗの値は６．７、ｆｗ  ／  ｜ｆ４ｐ  ｜の値は０．０１４、νｄの値は５７．６となっており、条件式（１）、（２）、（３）、（４）、（５）をそれぞれ満たしている。
【００４１】
これらの収差図からわかるように、本実施の形態１のように光学系を構成することにより、収差の小さい良好な光学性能を実現することができる。
本実施の形態１のズームレンズは、第３群３のプラスチックレンズ３ａと第４群４のプラスチックレンズ４ｃとを同一のプラスチック材料とすることができるので、プラスチックレンズの製造において、例えば一台の射出成形機を用いる場合に、材料の入れ替えによるロスを無くすことができる。また、プラスチックレンズに反射防止コーティングを施す場合に、そのコーティングの構成を共通にすることができるため、例えば同じ真空蒸着機を用いて同時にコーティングを行うことができる。このように、製造設備やプラスチック材料を効率的に使用することが可能なため、低コスト化を図ることが可能になる。
【００４２】
（実施の形態２）
図５は本発明の実施の形態２のズームレンズの構成図である。この図５において、第１群１、第２群２、第３群３、第４群４とも、図１の実施の形態１の構成と同様なものである。実施の形態１と異なるのは、有効像円がφ３ｍｍとなっている点である。レンズ系全体のＦ値は１．７７〜３．５９、焦点距離ｆは２．８５〜５５．３ｍｍ、ｎ２ｍｉｎの値は１．７１３、（Ｚ・ｆｗ２）／（｜ｆ２｜・ｄ２）の値は２．３１、ｆ３／ｆｗの値は６．３、ｆｗ  ／  ｜ｆ４ｐ  ｜の値は０．０１１、νｄの値は５６．２となっており、条件式（１）、（２）、（３）、（４）、（５）をそれぞれ満たしている。
【００４３】
以下、このレンズの数値実施例を表２に示す。この表２の各記号等の示す意味は、表１のそれと同様である。
【００４４】
【表２】
2004240151.tif 000005
【００４５】
このレンズの収差性能を、図６〜図８の、広角端（図６）、中間（図７）、望遠端（図８）における収差図で示す。本実施の形態２のズームレンズは、実施の形態１のズームレンズと同様に、収差の小さい良好な光学性能を実現できる。
【００４６】
また、実施の形態１と同様に、第３群３のプラスチックレンズ３ａと第４群４のプラスチックレンズ４ｃとを同一のプラスチック材料とすることにより、製造設備やプラスチック材料を効率的に使用することが可能なため、低コスト化を実現できる。
【００４７】
以上に説明した実施の形態１、２は、いずれも、あくまでも本発明の技術的内容を明らかにする意図のものであって、本発明はこのような具体的な実施の形態のみに限定して解釈されるものではく、その発明の精神と請求の範囲内でいろいろと変更して実施することができ、本発明を広義に解釈するべきである。
【００４８】
例えば、プラスチックレンズの材料は、ポリメタクリル酸メチル（ＰＭＭＡ）（例えば三菱レイヨン社製の『アクリペット』、住友化学工業社製の『スミペックス』）、環状オレフィンポリマー（例えば日本ゼオン社製の『ＺＥＯＮＥＸ  ４８０Ｒ』などが代表的であるが、その他の環状オレフィンポリマー（例えば日本ゼオン社製の『ＺＥＯＮＥＸ  ３３０Ｒ』、ＪＳＲ社製の『ＡＲＴＯＮ』、三井化学社製の『アペル』）、スチレン系樹脂（例えば新日鉄化学社製の『エスチレンＭＳ−６００』や『エスチレンＭＳ−８００』）、低吸湿アクリル（例えば日立化成工業社製の『ＯＰＴＯＲＥＺ』、三菱レイヨン社製の『アクリペット  ＷＦ１００』）等を使用しても良い。
【００４９】
さらに、第４群４のプラスチックレンズ４ｃについては、上記に加え、その他のスチレン系樹脂（例えば新日鉄化学社製の『エスチレンＭＳ−２００』や『エスチレンＭＳ−４００』）、ポリカーボネート樹脂（ＰＣ）（例えば、帝人化成社製の『パンライト』、三菱エンジニアプラスチックス社製の『ユーピロン』）、ポリスチレン樹脂（ＰＳ）（例えば大日本インキ化学工業社製の『ディックスチレン』）等を使用してもよい。
【００５０】
例えば、ポリカーボネート樹脂（ＰＣ）を用いると、ポリメタクリル酸メチル（ＰＭＭＡ）に比べ耐熱性と吸湿による形状変形とを改善できる。
例えば環状オレフィンポリマーを使用すると、分散を悪化させずに、耐熱性と吸湿による形状変形とを大幅に改善できる。
【００５１】
例えばスチレン系樹脂、ポリスチレン樹脂（ＰＳ）を用いると、安価に作成することができる。
例えば低吸湿アクリルを用いると、吸湿による形状変形を改善できる。
【００５２】
なお、ポリカーボネート樹脂を用いた場合は、ゲート付近の応力歪を改善する為に、レンズ外径をレンズ有効径よりも十分大きくすることが望ましい。
もちろん、本発明の精神と請求項の範囲内で、第３群３のプラスチックレンズ３ａと第４群４のプラスチックレンズ４ｃとに異なる樹脂材料を選択しても良いし、同じ樹脂材料を選択しても良い。
【００５３】
また、第１群レンズ、第２群レンズには硝子球面レンズを用いることができるが、これら第１群レンズ、第２群レンズに非球面レンズを用いても良い。第１群レンズ、第２群レンズに非球面レンズを用いることにより、歪曲収差の補正等に効果がある。
【００５４】
【発明の効果】
以上説明したように、本発明によれば、最適なレンズタイプを採用し、プラスチックレンズを効果的に用いて、その特徴を最大限に生かすことができるため、例えば１０枚という少ないレンズ構成で２０倍の高倍率を有するズームレンズを得ることができ、また収差が良好に補正されたコンパクトかつ低コストなズームレンズを提供することが可能となる。
【００５５】
また本発明によれば、第３群のプラスチックレンズと第４群のプラスチックレンズとを同一のプラスチック材料とすることにより、製造設備やプラスチック材料を効率的に使用することが可能なため、低コスト化を図ることが可能になる。
【図面の簡単な説明】
【図１】本発明の実施の形態１のズームレンズの構成図
【図２】図１のズームレンズにおける広角端での収差性能を示す図
【図３】図１のズームレンズにおける中間位置での収差性能を示す図
【図４】図１のズームレンズにおける望遠端での収差性能を示す図
【図５】本発明の実施の形態２のズームレンズの構成図
【図６】図５のズームレンズにおける広角端での収差性能を示す図
【図７】図５のズームレンズにおける中間位置での収差性能を示す図
【図８】図５のズームレンズにおける望遠端での収差性能を示す図
【符号の説明】
１    第１群
２    第２群
３    第３群
４    第４群
Ｓ    絞り
ＥＧ    撮像素子のカバー硝子、ローパスフィルター等の等価硝子
【図１】
2004240151.tif 000006
【図２】
2004240151.tif 000007
【図３】
2004240151.tif 000008
【図４】
2004240151.tif 000009
【図５】
2004240151.tif 000010
【図６】
2004240151.tif 000011
【図７】
2004240151.tif 000012
【図８】
2004240151.tif 000013